(57)【要約】【課題】取り付けられる機器との接続が容易で構造が簡単なカードコネクタを提供する。【解決手段】第１メモリカード２ａを挿入して受容する第１カード受容空間１４と、第２メモリカード２ｂを挿入して受容する第２カード受容空間１８とを有する保持部材１０に、この第１カード受容空間１４内に一端が延びて第１メモリカード２ａと接触する第１コンタクト２１と、第２カード受容空間１８内に一端が延びて第２メモリカード２ｂと接触する第２コンタクト２３とを有するようにカードコネクタ１を構成する。そして、このカードコネクタ１の後端面に、第１カード受容空間１４に連通して第１コンタクト２１の他端が内部に突出した第１プリント板挿入孔１９と、第２カード受容空間１８に連通して第２コンタクト２３の他端が内部に突出した第２プリント板挿入口２０を設け、この第１及び第２プリント板挿入口１９，２０に第１及び第２プリント板５ａ，５ｂを挿入してカードコネクタ１を機器に接続するように構成する。【選択図】  図４
2005005176.tif 000002
【特許請求の範囲】
【請求項１】
一端側に開口する第１カード挿入口と連通して前後に延びる第１空間部と、前記第１カード挿入口と同じ側に開口する第２カード挿入口と連通して前後に延びる第２空間部とが上下に並んで形成されたハウジングと、前記ハウジングに取付けられ一端が前記第１空間部内に突出する複数の第１コンタクトと、前記ハウジングに取付けられ一端が前記第２空間部内に突出する複数の第２コンタクトとを有し、
矩形平板状の第１メモリカードを前記第１カード挿入口から前記第１空間部に挿入させて受容保持し、前記第１メモリカードに設けられた平面状のカード側端子が前記第１コンタクトの一端に押圧接触し、
矩形平板状の第２メモリカードを前記第２カード挿入口から前記第２空間部に挿入させて受容保持し、前記第２メモリカードに設けられた平面状のカード側端子が前記第２コンタクトの一端に押圧接触するように構成されたカードコネクタであって、
前記ハウジングの他端側に開口して前記第１空間部と連通し、内部空間に前記第１コンタクトの他端が突出して延びる第１接続孔と、
前記第１接続孔と上下に並んで形成され、前記ハウジングの他端側に開口して前記第２空間部と連通し、内部空間に前記第２コンタクトの他端が突出して延びる第２接続孔とを有し、
前記第１接続孔に第１接続基板を挿入させて受容保持し、前記第１接続基板の表面に形成された基板側端子に前記第１コンタクトの他端を押圧接触させ、
前記第２接続孔に第２接続基板を挿入させて受容保持し、前記第２接続基板の表面に形成された基板側端子に前記第２コンタクトの他端を押圧接触させるように構成したことを特徴とするカードコネクタ。
【請求項２】
前記第１コンタクト及び前記第２コンタクトは、前記第１及び第２空間部が隣接する面の近傍に取付けられ、前記第１及び第２空間部内に延びた一端が互いに外側に向かって突出していることを特徴とする請求項１に記載のカードコネクタ。
【請求項３】
前記ハウジングは、前記第１及び第２空間部を覆うように取付けられた金属製のカバー部材を有することを特徴とする請求項１または２に記載のカードコネクタ。
【発明の詳細な説明】
【０００１】
【発明の属する技術分野】
本発明は、メモリカードを受容保持してこのメモリカードと機器とを電気的に接続するカードコネクタに関し、特に詳細には規格の異なる２種類のメモリカードを接続可能なカードコネクタに関する。
【０００２】
【従来の技術】
携帯電話やデジタルカメラ等の携帯型電子機器で利用可能なメモリカードは形状の異なる複数の規格が存在している。そのため、これらのメモリカードの互換性を確保するために、複数の規格のメモリカードを接続可能としたカードコネクタが知られている（例えば、特許文献１参照）。
【０００３】
【特許文献１】
特開２００１−３１３１２８号公報（第４頁、第４図）
【０００４】
【発明が解決しようとする課題】
しかしながら、複数の規格のメモリカードを接続可能としたカードコネクタの場合、それぞれのメモリカードに対応したコンタクトが必要となり、そのコンタクトのそれぞれからは外部に接続するための端子が設けられる。そして、このようなカードコネクタを機器に取り付ける方法としては、表面実装方式が知られているが、その場合上述の端子の配置が複雑となってしまう。
【０００５】
また、複数の規格のメモリカードを接続可能とした場合、挿入されたメモリカードを挿抜可能な排出位置に移動させるスライダ機構もメモリカードの規格毎に異なり、さらに、カードコネクタを小型化する必要があることから、挿入されたメモリカードの位置が側面視において重なるため、互いのスライダ機構が干渉することになり、カードコネクタの構造が複雑になってしまう。
【０００６】
このため、端子の配置やスライダ機構が複雑化することにより、このようなカードコネクタにおいては、使用上の品質トラブル（接触不良、機構不良、実装不良等）が多く信頼性が低いという課題や、部品点数の増加や複雑な組立作業により低コスト化が難しいという課題があった。
【０００７】
本発明はこのような課題に鑑みなされたものであり、取り付けられる機器との接続が容易で、スライダ機構の単純なカードコネクタを提供することを目的とする。
【０００８】
【課題を解決するための手段】
前記課題を解決するために、本発明に係るカードコネクタは、一端側に開口する第１カード挿入口と連通して前後に延びる第１空間部（例えば、実施形態における第１カード受容空間１４）と、第１カード挿入口と同じ側に開口する第２カード挿入口と連通して前後に延びる第２空間部（例えば、実施形態における第２カード受容空間１８）とが上下に並んで形成されたハウジング（例えば、実施形態における保持部材１０）と、このハウジングに取付けられ一端が第１空間部内に突出する複数の第１コンタクトと、このハウジングに取付けられ一端が第２空間部内に突出する複数の第２コンタクトとを有し、矩形平板状の第１メモリカードを第１カード挿入口から第１空間部に挿入させて受容保持し、第１メモリカードに設けられた平面状のカード側端子が第１コンタクトの一端に押圧接触し、矩形平板状の第２メモリカードを第２カード挿入口から第２空間部に挿入させて受容保持し、第２メモリカードに設けられた平面状のカード側端子が第２コンタクトの一端に押圧接触するように構成される。
【０００９】
そして、ハウジングの他端側に開口して第１空間部と連通し、内部空間に第１コンタクトの他端が突出して延びる第１接続孔（例えば、実施形態における第１プリント板挿入孔１９）と、この第１接続孔と上下に並んで形成され、ハウジングの他端側に開口して第２空間部と連通し、内部空間に第２コンタクトの他端が突出して延びる第２接続孔（例えば、実施形態における第２プリント板挿入口２０）とを有して構成される。
【００１０】
そのため、第１接続孔に第１接続基板（例えば、実施形態における第１プリント板５ａ）を挿入させて受容保持し、この第１接続基板の表面に形成された基板側端子に第１コンタクトの他端を押圧接触させ、第２接続孔に第２接続基板（例えば、実施形態における第２プリント板５ｂ）を挿入させて受容保持し、この第２接続基板の表面に形成された基板側端子に第２コンタクトの他端を押圧接触させるように構成される。
【００１１】
このような構成によると、カードコネクタの後部に形成された第１及び第２接続孔に第１及び第２接続基板を挿入することで、この第１及び第２接続基板を用いて機器と接続することができるため、接続が容易となる。また、２種類のメモリカードのそれぞれに対して受容保持する空間部を有するように構成しているため、それぞれの空間部にスライダ機構を設けることができ、構造が簡単になり、組立作業も容易になる。
【００１２】
なお、本発明に係るカードコネクタにおいて、第１コンタクト及び第２コンタクトは、第１及び第２空間部が隣接する面（例えば、実施形態における壁部１０ｃ）の近傍に取付けられ、第１及び第２空間部内に延びた一端が互いに外側に向かって突出しているように構成されることが好ましい。このような構成とすると、第１及び第２コンタクトがハウジングの中央部に配設されるため、カードコネクタの高さ寸法を小さくしてコンパクト化することができる。
【００１３】
また、本発明に係るカードコネクタのハウジングは、第１及び第２空間部を覆うように取付けられた金属製のカバー部材（例えば、実施形態における第１及び第２カバー部材１１，１５）を有することが好ましく、このような構成とすると、第１及び第２コンタクトがこのカバー部材に囲まれてシールドされるため、外部からのノイズの影響を受けにくくなり、安定動作が可能となる。
【００１４】
【発明の実施の形態】
以下、本発明の好ましい実施形態について図面を参照して説明する。本実施の形態はメモリカードを挿抜自在に保持し、且つ、フレキシブルプリント板を着脱自在に装着可能なカードコネクタの態様を示す。なお、図１に示すように、説明の便宜上、矢印が示す方向を前後、左右及び上下方向として以下説明する。まず、本発明に係るカードコネクタを説明する前に、このカードコネクタに装着されるメモリカードとフレキシブルプリント板について図１を用いて説明する。
【００１５】
メモリカード２は、厚さが薄く切手大の大きさを有して平板状であり、その先端下面に左右方向に所定の間隔を有して並設された複数のカード側端子３を有している。カード側端子３はメモリカード２内に内蔵された図示しないメモリ機構部に電気的に接続されて情報の読み書きが可能に構成されている。メモリカード２の左右いずれか一方の先端部の縁部（図１の場合は左側）には斜め後側に傾斜する傾斜部４が形成されている。
【００１６】
フレキシブルプリント板５は、可撓材料製の基板６の下に複数の導体７を並べた状態で印刷し、それらの上部に絶縁物を積層し、さらに、フレキシブルプリント板５の前端部に上部に変形しにくい変形防止部８を接着して構成されている。フレキシブルプリント板５の前端部には絶縁物が取り除かれて複数の導体７のそれぞれの先端部に繋がった複数の基板側端子９が左右方向に露出した状態で並んで形成されている。このフレキシブルプリント板５は、カードコネクタ１とこのカードコネクタ１が実装される機器とを電気的に接続するものである。
【００１７】
次に、このように構成されたフレキシブルプリント板５及びメモリカード２を装着保持する本発明に係るカードコネクタ１について図２を用いて説明する。カードコネクタ１は、図２（Ａ）に示すように、平面視において略矩形状であり、図１に示すメモリカード２を前端側から挿抜自在に保持可能であるとともに、図１に示すフレキシブルプリント板５を平面状のままで後端側から着脱自在に装着可能な保持部材１０と、保持部材１０の上面及び下面を覆う第１及び第２カバー部材１１，１５とを有して構成される。このカードコネクタ１は、図２及び図３に示すように、形状及び大きさの異なる２種類の規格のメモリカード２（「第１メモリカード２ａ」及び「第２メモリカード２ｂ」と呼ぶ）を挿抜自在に保持可能に構成されている。また、同様に、図４に示すように、フレキシブルプリント板５も第１及び第２メモリカード２ａ，２ｂに対応して２つのフレキシブルプリント板５（「第１プリント板５ａ」及び「第２プリント板５ｂ」と呼ぶ）を装着可能に構成されている。
【００１８】
保持部材１０は、前端部の左右端が前方に延びる第１凹部１２を有する第１保持部１０ａと、前端部の左右端が前方に延びる第２凹部１６を有する第２保持部１０ｂとを、第１及び第２凹部１２，１６が互いに外方を向く（図２及び図３においては、第１凹部１２が上方に向き、第２凹部１６が下方に向く）ように結合された形状をしており、例えば、絶縁性材料により一体成型される。この第１及び第２凹部１２，１６の前端には、第１及び第２カード挿入口１３，１７が開口しており、第１及び第２凹部１２，１６に囲まれた部分に、それぞれ第１及び第２カード受容空間１４，１８が形成されている。
【００１９】
第１及び第２カバー部材１１，１５は、それぞれ第１及び第２凹部１２，１６を覆うように保持部材１０に対して着脱自在に取付けられている。第１カバー部材１１は、第１保持部１０ａの上面を覆う板状の天板部１１ａと、天板部１１ａの左右両端部から下方へ折曲して延びる側板部１１ｂと、側板部１１ｂの前側の縁部に左右方向外側へ折曲して延びる取付部１１ｃとを有して構成されており、この取付部１１ｃには、カードコネクタ１を実装する機器に取付けるためのコネクタ側取付孔１１ｄが形成されている。また、第２カバー部材１５は、第２保持部１０ｂの下面を覆う板状の天板部１５ａと、天板部１５ａの左右両端部から上方へ折曲して延びる側板部１５ｂとを有して構成されている。なお、図１及び図２（Ａ）では、説明の都合上、第１カバー部材１１の天板部１１ａは省略して記載されており、図３では、第２カバー部材１５の天板部１５ａは省略して記載されている。このカードコネクタ１は、コネクタ側取付孔１１ｄにネジ等を挿入して機器に締結して取付けられる。
【００２０】
一方、保持部材１０を構成する第１及び第２保持部１０ａ，１０ｂの後端部には前後方向に貫通しそれぞれ第１及び第２カード受容空間１４，１８に連通する第１及び第２プリント板挿入孔１９，２０が形成されている。この第１及び第２プリント板挿入口１９，２０は断面が左右方向に延びる矩形状に形成されており、それぞれ、第１及び第２プリント板５ａ，５ｂの断面と略同一大きさに形成されている。
【００２１】
第１プリント板挿入孔１９内の底面には複数の第１コンタクト２１が取付けられている。この第１コンタクト２１は、図４に示すように、水平方向に延びる基部２１ａと、この基部２１ａの前端部から斜め上方へ延びる傾斜アーム部２１ｂと、傾斜アーム部２１ｂの先端部に形成された第１カード接触部２１ｃと、基部２１ａの後端側中央部から上方へ屈曲して斜め前方に延びた第１突出片部２１ｄとからなり、例えば、導電性金属材料の薄板を曲げ加工して一体成型される。この第１プリント板挿入孔１９内の底面には、複数のコンタクト取付溝２２が左右方向に並んで所定の間隔を有して形成されており、このコンタクト取付溝２２に第１コンタクト２１の基部２１ａが圧入されて取付けられている。そのため、第１カード接触部２１ｃは第１カード受容空間１４内に位置して取付けられている。
【００２２】
第２プリント板挿入孔２０内の上面には複数の第２コンタクト２３が取付けられている。この第２コンタクト２３は、図４に示すように、水平方向に延びる基部２３ａと、この基部２３ａの前端部から斜め下方へ延びる傾斜アーム部２３ｂと、傾斜アーム部２３ｂの先端部に形成された第２カード接触部２３ｃと、基部２３ａの後端側中央部から下方へ屈曲して斜め前方に延びた第２突出片部２３ｄとからなり、例えば、導電性金属材料の薄板を曲げ加工して一体成型される。この第２プリント板挿入孔２０内の上面には、複数のコンタクト取付溝２４が左右方向に並んで所定の間隔を有して形成されており、このコンタクト取付溝２４に第２コンタクト２３の基部２３ａが圧入されて取付けられている。そのため、第２カード接触部２３ｃは第２カード受容空間１８内に位置して取付けられている。
【００２３】
以上より、第１コンタクト２１は第１凹部１２の底面に並んで配設され、第２コンタクト２３は第２凹部１６の上面に並んで配設される。そのため、保持部材１０の第１カード受容空間１４と第２カード受容空間１８とを分ける壁部１０ｃの近傍、つまり保持部材１０の上下方向略中央部に、第１及び第２接触部２１ｃ，２３ｃが互いに外方を向いて突出して、第１及び第２カード受容空間１４，１８内に位置するように取付けられて構成されている。また、第１及び第２突出片部２１ｄ，２３ｄはそれぞれ第１及び第２プリント板挿入孔１９，２０内に突出して位置するように構成されている。
【００２４】
このように構成されたカードコネクタ１の第１カード挿入口１３から、カード側端子３ａが下面にあるように第１メモリカード２ａが挿入されると、第１メモリカード２ａの先端部の下面が第１コンタクト２１の第１カード接触部２１ｃと当接してこの第１カード接触部２１ｃを下方に押し下げるが、第１コンタクト２１の弾性力で、第１カード接触部２１ｃは第１メモリカード２ａの下面に付勢する。よって、コンタクト取付溝２２の間隔を第１メモリカード２ａのカード側端子３ａの間隔に合わせるとともに、第１メモリカード２ａが第１カード受容空間１４に挿入されたときのカード側端子３ａの位置に第１カード接触部２１ｃの位置を合わせておけば、カード側端子３ａと第１カード接触部２１ｃが押圧接触して電気的に接続される。
【００２５】
また、同様に、第２カード挿入口１７から、カード側端子３ｂが上面にあるように第２メモリカード２ｂが挿入されると、第２メモリカード２ｂの先端部の上面が第２コンタクト２３の第２カード接触部２３ｃと当接してこの第２カード接触部２３ｃを上方に押し上げるが、第２コンタクト２３の弾性力で、第２カード接触部２３ｃは第２メモリカード２ｂの上面に付勢する。よって、コンタクト取付溝２４の間隔を第２メモリカード２ｂのカード側端子３ｂの間隔に合わせるとともに、第２メモリカード２ｂが第２カード受容空間１８に挿入されたときのカード側端子３ｂの位置に第２カード接触部２３ｃの位置を合わせておけば、カード側端子３ｂと第２カード接触部２３ｃが押圧接触して電気的に接続される。
【００２６】
なお、第１若しくは第２メモリカード２ａ，２ｂに当接して下方若しくは上方に押し出された第１若しくは第２コンタクト２１，２３の先端部が動きやすいように、壁部１０ｃに溝若しくは貫通孔を形成することも可能である。このように構成すると、第１及び第２メモリカード２ａ，２ｂの挿入時の抵抗が少なくなり、挿入が容易となる。このとき、図４に示すように、第１及び第２コンタクト２１，２３の先端部をずらして配設することにより、互いに干渉することはない。
【００２７】
一方、カードコネクタ１の第１プリント板挿入孔１９から第１プリント板５ａが挿入されると、この第１プリント板５ａに第１コンタクト２１の第１突出片部２１ｄが下方に押し下げられて、第１プリント板５ａの下面に当接する。そのため、第１プリント板５ａの基板側端子９の間隔を第１コンタクト１７と略同一にすることにより、第１突出片部２１ｄと基板側端子９が押圧接触して電気的に接続される。
【００２８】
また同様に、第２プリント板挿入孔２０から第２プリント板５ｂが挿入されると、この第２プリント板５ｂに第２コンタクト２３の第２突出片部２３ｄが上方に押し上げられて、第２プリント板５ｂの上面に当接する。そのため、第２プリント板５ｂの基板側端子９の間隔を第２コンタクト２３の間隔と略同一にすることにより、第２突出片部２３ｄと基板側端子９が押圧接触して電気的に接続される。
【００２９】
このように配設された第１コンタクト２１を有した第１保持部１０ａの左側端部、つまり、第１カード受容空間１４に挿入された第１メモリカード２ａの傾斜部４が位置する端部には、図１に示すように第１凹部１２に並んで前後に延びる本体側第１段部２５が形成されている。また、この本体側第１段部２５の上面にカム溝２６が形成されている。そして、カム溝２６には、前後にスライド移動可能な第１スライダ２７が配設されており、この第１スライダ２７の後端面と第１凹部１２の内側後端面の間にはバネ２８が配設されており、以上により第１ハートカム機構２９が構成されている。
【００３０】
このカム溝２６は、第１スライダ２７を、カード側端子３ａと第１コンタクト２１が押圧接触した状態で第１メモリカード２ａを第１保持部１０ａに収容させる接触状態位置、及び、第１メモリカード２ａを第１保持部１０ａに対して挿抜可能な挿抜可能位置に位置決め保持させるように形成されている。第１スライダ２７は、第１メモリカード２ａが第１カード受容空間１４に挿入されたときに、この第１メモリカード２ａの傾斜部４と当接するように構成されている。そして、メモリカード２が押圧されて挿入されると、第１スライダ２７は、第１メモリカード２ａの傾斜部４に押圧されてカードコネクタ１の後端部へスライド移動してバネ２８を圧縮し、第１ハートカム機構２９により接触状態位置で係止保持される。また、接触状態位置にある第１メモリカード２ａがさらに押圧操作されて第１スライダ２７が押圧されると、第１ハートカム機構２９による第１スライダ２７の係止状態が解除されるため、第１メモリカード２ａの押圧を止めると、第１スライダ２７はバネ２８の反発力により第１メモリカード２ａを前方に押し出して挿抜可能位置に移動させる。
【００３１】
また同様に、第２コンタクト２３を有した第２保持部１０ｂの左側端部にも、第２凹部１６に並んで本体側第２段部３０が形成されており、その上に、第２スライダ３１を含む第２ハートカム機構３２が配設されている。この第２ハートカム機構３２の構成及び動作は上述の第１ハートカム機構２９と同様であるため、説明は省略する。
【００３２】
このように構成されたカードコネクタ１によれば、２組のコンタクト（第１及び第２コンタクト２１，２３）に対して、それぞれ第１及び第２プリント板５ａ，５ｂを第１及び第２プリント板挿入孔１９，２０に挿入して接続することができるので、このカードコネクタ１を実装する機器に接続するのが容易である。また、第１及び第２コンタクトを、保持部材の上下方向略中央部に、第１及び第２カード接触部２１ｃ，２３ｃが互いに外方を向くように取付けることにより、この第１及第２コンタクト２１，２３を取付ける部分を壁部１０ｃに共通化できるため、カードコネクタ１の高さ方向寸法を薄くすることができ、コンパクト化が可能である。
【００３３】
また、第１及び第２メモリカード２ａ，２ｂが挿入される空間を第１及び第２カード受容空間１４，１８とに完全に分離しているため、規格の異なる２種類のメモリカード２ａ，２ｂを同時に挿入して接続することができ、スライダ機構（第１及び第２ハートカム機構２９，３２）もそれぞれのカード受容空間１４，１８に対して独立に取付けることができるため、構造が簡単になり組立も容易である。
【００３４】
さらに、第１及び第２カバー部材１１，１５を金属材料製とすることにより、第１及び第２コンタクトがこの第１及び第２カバー部材１１，１５で囲まれてシールドされるため、外部からのノイズの影響を受けにくくなり、本発明に係るカードコネクタ１の安定動作が可能となる。特に、多数の電子素子が小さな筐体内に取付けられている携帯型電子機器において用いられる場合は有効である。
【００３５】
なお、以上のような構成とすると、メモリカード２のカード側端子３のピッチに合わせて、第１若しくは第２コンタクト２１，２３のピッチ及び第１若しくは第２プリント板５ａ，５ｂの基板側端子９のピッチを調整することにより対応することができるので、本発明に係るカードコネクタ１を各種規格のメモリカードに利用することができる。
【００３６】
【発明の効果】
以上の説明から明らかなように、本発明に係るカードコネクタによれば、２組の複数のコンタクトにより規格の異なる２種類のメモリカードを装着可能とし、それぞれのコンタクトに接続する第１及び第２接続基板を第１及び第２接続孔から挿入して接続可能なように構成することにより、このカードコネクタが実装される機器との接続を容易に行うことができる。また、このように第１及び第２接続基板により接続することにより、表面実装のための端子が不要となり配線を簡単にすることができるとともに、実装が容易となる。さらに、２種類のメモリカードのそれぞれに対して受容保持する空間部を設けているためスライダ機構をそれぞれに設けることができ、構造が簡単となり組立も容易となる。そのため、不具合を防止して信頼性を向上させることができるとともに、低コスト化が可能となる。
【００３７】
このとき、第１及び第２コンタクトを、第１及び第２空間部が隣接する面の近傍に取付け、第１及び第２空間部内に延びた一端が互いに外側に向かって突出しているように構成することにより、カードコネクタの高さ寸法を小さくしてコンパクト化することができる。
【００３８】
また、本発明に係るカードコネクタにおいて、第１及び第２空間部を覆うように取付けられた金属製のカバー部材を有するように構成することにより、第１及び第２コンタクトがこのカバー部材に囲まれてシールドされるため、外部からのノイズの影響を受けにくくなり、安定動作が可能となる。
【図面の簡単な説明】
【図１】カードコネクタ、メモリカード及びフレキシブルプリント板を示す平面図である。
【図２】本発明に係るカードコネクタを示す図面であり、（Ａ）は平面図であり、（Ｂ）は側面図であり、（Ｃ）は正面図であり、（Ｄ）は背面図である。
【図３】本発明に係るカードコネクタを示す底面図である。
【図４】図２のＩＶ−ＩＶ断面図である。
【符号の説明】
１  カードコネクタ
２  メモリカード
２ａ  第１メモリカード
２ｂ  第２メモリカード
３（３ａ，３ｂ）  カード側端子
５  フレキシブルプリント板
５ａ  第１プリント板（第１接続基板）
５ｂ  第２プリント板（第２接続基板）
９  基板側端子
１０  保持部材（ハウジング）
１０ｃ  壁部材
１１  第１カバー部材
１４  第１カード受容空間（第１空間部）
１５  第２カバー部材
１８  第２カード受容空間（第２空間部）
１９  第１プリント板挿入孔（第１接続孔）
２０  第２プリント板挿入孔（第２接続孔）
２１  第１コンタクト
２３  第２コンタクト
【図１】
2005005176.tif 000003
【図２】
2005005176.tif 000004
【図３】
2005005176.tif 000005
【図４】
2005005176.tif 000006